(57)【要約】【課題】建具の防火性能を向上させることにある。【解決手段】面材と、前記面材の周縁部を収容する下框面材収容溝を備えた下框と、前記下框面材収容溝内に設けられた下框溝内補強材と、を有し、前記下框溝内補強材は、前記面材の下端よりも下方に位置し見込み方向に沿う補強材底部と、前記面材よりも室外側に位置し前記補強材底部から上方向へ延出する室外側延出部と、前記面材よりも室内側に位置し前記補強材底部から上方向へ延出する室内側延出部と、を備え、前記室外側延出部の延出先端は、前記室内側延出部の延出先端よりも下方に位置することを特徴とする。【選択図】図６
2018199919.tif 000002
【特許請求の範囲】
【請求項１】
面材と、前記面材の周縁部を収容する下框面材収容溝を備えた下框と、前記下框面材収容溝内に設けられた下框溝内補強材と、を有し、
前記下框溝内補強材は、前記面材の下端よりも下方に位置し見込み方向に沿う補強材底部と、前記面材よりも室外側に位置し前記補強材底部から上方向へ延出する室外側延出部と、前記面材よりも室内側に位置し前記補強材底部から上方向へ延出する室内側延出部と、を備え、
前記室外側延出部の延出先端は、前記室内側延出部の延出先端よりも下方に位置することを特徴とする建具。
【請求項２】
請求項１に記載の建具であって、
前記室外側延出部の延出先端は、前記面材の下端よりも下方に位置し、
前記室内側延出部の延出先端は、前記面材の下端よりも上方に位置することを特徴とする建具。
【請求項３】
請求項２に記載の建具であって、
前記下框面材収容溝は、溝底部、室外側溝側部、及び、室内側溝側部を備え、
前記室外側溝側部は金属製であり、前記室内側溝側部は樹脂製であることを特徴とする建具。
【請求項４】
請求項１乃至請求項３のいずれかに記載の建具であって、
前記下框溝内補強材は、左右方向において前記下框の一端部から他端部に亘って設けられており、
前記下框溝内補強材の左右方向における所定位置において、前記下框溝内補強材には、前記室内側延出部と前記補強材底部の一部とに亘って切り欠かれた切り欠き部が形成されていることを特徴とする建具。
【請求項５】
請求項１乃至請求項４のいずれかに記載の建具であって、
前記面材の周縁部を収容する上框面材収容溝を備えた上框と、前記上框面材収容溝内に設けられた上框溝内補強材と、前記面材の周縁部を収容する縦框面材収容溝を備えた縦框と、前記縦框面材収容溝内に設けられた縦框溝内補強材と、を有し、
前記上框溝内補強材は、前記面材の上端よりも上方に位置し見込み方向に沿う第二補強材底部と、前記面材よりも室外側に位置し前記第二補強材底部から下方向へ延出する第二室外側延出部と、前記面材よりも室内側に位置し前記第二補強材底部から下方向へ延出する第二室内側延出部と、を備え、
前記縦框溝内補強材は、前記面材の左右方向における端よりも外側に位置し見込み方向に沿う第三補強材底部と、前記面材よりも室外側に位置し前記第三補強材底部から内側へ延出する第三室外側延出部と、前記面材よりも室内側に位置し前記第三補強材底部から内側へ延出する第三室内側延出部と、を備え、
前記第二室外側延出部の延出先端と前記第二室内側延出部の延出先端の上下方向における位置は一致し、前記第三室外側延出部の延出先端と前記第三室内側延出部の延出先端の左右方向における位置は一致していることを特徴とする建具。
【発明の詳細な説明】
【技術分野】
【０００１】
本発明は、建具に関する。
【背景技術】
【０００２】
框体とガラス等の面材とを備える障子を有する建具は、既によく知られている。このような建具の中には、面材の周縁部を収容する下框面材収容溝を備えた下框が框体として備えられ、下框面材収容溝内に防火関連部材として下框溝内補強材が設けられているものがある。
【０００３】
そして、下框溝内補強材は、面材の下端よりも下方に位置し見込み方向に沿う補強材底部と、面材よりも室外側に位置し補強材底部から上方向へ延出する室外側延出部と、面材よりも室内側に位置し補強材底部から上方向へ延出する室内側延出部と、を備えている。
【先行技術文献】
【特許文献】
【０００４】
【特許文献１】特開２０１６−１８０２６９号公報
【発明の概要】
【発明が解決しようとする課題】
【０００５】
ところで、室外側で火災が発生した場合には、面材が軟化して室外側へ倒れるように落下する場合がある。そして、かかる際には、面材が下框溝内補強材の室外側延出部に引っ掛かり、面材の落下に伴って下框が傾く（転ぶ）可能性があった。そして、下框が傾く（転ぶ）と、下枠との間に隙間が生じ、当該隙間が火炎や加熱空気の通り道となる場合があった。
【０００６】
本発明は、かかる課題に鑑みてなされたものであり、その目的とするところは、建具の防火性能を向上させることにある。
【課題を解決するための手段】
【０００７】
かかる目的を達成するために本発明の建具は、面材と、前記面材の周縁部を収容する下框面材収容溝を備えた下框と、前記下框面材収容溝内に設けられた下框溝内補強材と、を有し、
前記下框溝内補強材は、前記面材の下端よりも下方に位置し見込み方向に沿う補強材底部と、前記面材よりも室外側に位置し前記補強材底部から上方向へ延出する室外側延出部と、前記面材よりも室内側に位置し前記補強材底部から上方向へ延出する室内側延出部と、を備え、
前記室外側延出部の延出先端は、前記室内側延出部の延出先端よりも下方に位置することを特徴とする建具である。
【０００８】
このような建具によれば、面材が軟化して室外側へ倒れるように落下したとしても、面材が室外側延出部に引っ掛かりにくくなり、面材の落下に伴って下框が傾く（転ぶ）可能性が低くなる。したがって、火災や加熱空気の通り道となる隙間が出来にくくなり、建具の防火性能を向上させることができる。
【０００９】
かかる建具であって、
前記室外側延出部の延出先端は、前記面材の下端よりも下方に位置し、
前記室内側延出部の延出先端は、前記面材の下端よりも上方に位置することが望ましい。
【００１０】
このような建具によれば、面材が室外側延出部により一層引っ掛かりにくくなり、面材の落下に伴って下框が傾く（転ぶ）可能性がより一層低くなる。したがって、火災や加熱空気の通り道となる隙間がより一層出来にくくなり、建具の防火性能をより適切に向上させることができる。
【００１１】
かかる建具であって、
前記下框面材収容溝は、溝底部、室外側溝側部、及び、室内側溝側部を備え、
前記室外側溝側部は金属製であり、前記室内側溝側部は樹脂製であることが効果的である。
【００１２】
このような建具によれば、火災時に室内側溝側部が消失したとしても下框溝内補強材（室内側延出部）に面材を適切に支持させることが可能となる。
【００１３】
かかる建具であって、
前記下框溝内補強材は、左右方向において前記下框の一端部から他端部に亘って設けられており、
前記下框溝内補強材の左右方向における所定位置において、前記下框溝内補強材には、前記室内側延出部と前記補強材底部の一部とに亘って切り欠かれた切り欠き部が形成されていることが効果的である。
【００１４】
このような建具によれば、ハンドル関連部品取り付け用裏板等の部材を取り付けるために下框溝内補強材を切り欠く必要がある場合でも、下框溝内補強材の強度を必要以上に落とすことなく、下框溝内に部材を配置することが可能となる。
【００１５】
かかる建具であって、
前記面材の周縁部を収容する上框面材収容溝を備えた上框と、前記上框面材収容溝内に設けられた上框溝内補強材と、前記面材の周縁部を収容する縦框面材収容溝を備えた縦框と、前記縦框面材収容溝内に設けられた縦框溝内補強材と、を有し、
前記上框溝内補強材は、前記面材の上端よりも上方に位置し見込み方向に沿う第二補強材底部と、前記面材よりも室外側に位置し前記第二補強材底部から下方向へ延出する第二室外側延出部と、前記面材よりも室内側に位置し前記第二補強材底部から下方向へ延出する第二室内側延出部と、を備え、
前記縦框溝内補強材は、前記面材の左右方向における端よりも外側に位置し見込み方向に沿う第三補強材底部と、前記面材よりも室外側に位置し前記第三補強材底部から内側へ延出する第三室外側延出部と、前記面材よりも室内側に位置し前記第三補強材底部から内側へ延出する第三室内側延出部と、を備え、
前記第二室外側延出部の延出先端と前記第二室内側延出部の延出先端の上下方向における位置は一致し、前記第三室外側延出部の延出先端と前記第三室内側延出部の延出先端の左右方向における位置は一致していることが望ましい。
【００１６】
このような建具によれば、火災時に縦框溝内補強材や上框溝内補強材に面材を適切に支持させることが可能となる。
【発明の効果】
【００１７】
本発明によれば、建具の防火性能を向上させることが可能となる。
【図面の簡単な説明】
【００１８】
【図１】縦すべり出し窓１の正面図である。
【図２】縦すべり出し窓１の縦断面図である。
【図３】縦すべり出し窓１の横断面図である。
【図４】図３の縦枠１３及び縦框３６周辺を拡大した拡大図である。
【図５】図２の上枠１１及び上框５１周辺を拡大した拡大図である。
【図６】図２の下枠１２及び下框４４周辺を拡大した拡大図である。
【図７】下框４４が傾いた様子を示したイメージ図である。
【図８】下框溝内補強材６６に設けられた切り欠き６６ｄを示した第一斜視図である。
【図９】下框溝内補強材６６に設けられた切り欠き６６ｄを示した第二斜視図である。
【発明を実施するための形態】
【００１９】
本実施の形態に係る建具の一例としての縦すべり出し窓１について、図１乃至図３を用いて説明する。図１は、縦すべり出し窓１の正面図である。図２は、縦すべり出し窓１の縦断面図である。図３は、縦すべり出し窓１の横断面図である。なお、図３においては、オペレーターハンドル３の記載を省略している。
【００２０】
なお、以下の説明においては、縦すべり出し窓１が建物等に取り付けられた状態において、上下となる方向を上下方向、左右となる方向を左右方向、室内外方向である奥行き方向を見込み方向として示す。
【００２１】
本実施形態の縦すべり出し窓１は、矩形状に枠組みされて開口を形成する窓枠１０と、窓枠１０内に取り付けられた障子の一例としての可動障子２０と、窓枠１０と可動障子２０との間に位置するすべり出し窓用ステー５０を備えている。可動障子２０は、窓枠１０に対し、横方向（左右方向）に移動自在かつ回動自在（開閉自在）に、すべり出し窓用ステー５０によって支持されている。そして、オペレーターハンドル３を操作して、可動障子２０を移動かつ回動させることにより、開口を開いたり閉じたりできるようになっている。
【００２２】
窓枠１０は、上下の上枠１１及び下枠１２と左右の縦枠１３とが矩形状に枠組みされた四方枠となっている。この窓枠１０は、いずれの枠も、金属製（本実施の形態においては、アルミニウム製）窓枠材（押出成形部材）で形成された窓枠となっている。なお、室内側の窓枠１０には、樹脂製のカバー材１５が設けられている。
【００２３】
可動障子２０は、框体２２と面材の一例としてのガラス（具体的には、複層ガラス２１）とを有している。
【００２４】
框体２２は、上下の上框５１及び下框４４と左右の縦框３６からなり、矩形状に框組みされている。そして、框体２２に囲まれた領域を塞ぐように複層ガラス２１が設けられている。
【００２５】
この框体２２は、いずれの框も、金属製（本実施の形態においては、アルミニウム製）の室外側に位置する框材（以下、外框部２３と呼ぶ。図４乃至図６参照）と、合成樹脂製の室内側に位置する框材（以下、内框部２５と呼ぶ。図４乃至図６参照）が連結されたものとなっている。なお、外框部２３及び内框部２５は、いずれも押出成型部材である。このように、可動障子２０は、アルミ樹脂複合の框体２２を備える断熱可動障子となっている。
【００２６】
複層ガラス２１は、外側ガラス２１ａと内側ガラス２１ｂとが見込み方向において間隔を隔てて対面し、外側ガラス２１ａと内側ガラス２１ｂの上下方向と左右方向の内周端には、内部に乾燥剤が封入されたスペーサー２１ｃが設けられている。外側ガラス２１ａとしては、網入りガラス又は耐熱強化ガラスが、内側ガラス２１ｂとしては、Ｌｏｗ−Ｅガラス（フロートガラス）が用いられる。複層ガラス２１については、その端部が、外框部２３と内框部２５が延出することにより形成された後述するガラス収容溝に収容されている。
【００２７】
すべり出し窓用ステー５０は、可動障子２０の窓枠１０に対する相対位置を変化させて、可動障子２０を開閉させるための金属製の部材である。すなわち、縦すべり出し窓１においては、可動障子２０がすべり出し窓用ステー５０によって窓枠１０に取り付けられており、すべり出し窓用ステー５０が動作することにより、可動障子２０が開閉するようになっている。すべり出し窓用ステー５０は、図２に示すように、上枠１１と上框５１の間及び下枠１２と下框４４の間に位置し、上枠１１、上框５１、下枠１２、下框４４にそれぞれ取り付けられている（固定されている）。
【００２８】
本実施の形態に係る縦すべり出し窓１には、複数箇所に防火関連部材として補強材３０及び加熱発泡材７０が備えられている。
【００２９】
補強材３０は、スチール製の部材であり、火災によりアルミニウム製又は合成樹脂製の窓枠１０や框体２２が溶融したとしても残存する。
【００３０】
加熱発泡材７０は、若干の厚みを有するシート状の部材であり、火災の際に火炎に晒されると膨張して、その体積が大きくなる。そして、このことにより、隙間を埋め、火炎や加熱空気の通り道を塞ぐ機能を有する。
【００３１】
以下では、補強材３０及び加熱発泡材７０の構成及び配置について説明する。
【００３２】
先ず、縦枠１３及び縦框３６周辺の防火関連部材について、図４を用いて説明する。図４は、図３の縦枠１３及び縦框３６周辺を拡大した拡大図である。なお、図４は、左側の縦枠１３及び縦框３６周辺を表している。図３から明らかなように、左側の縦枠１３及び縦框３６周辺の構成と右側の縦枠１３及び縦框３６周辺の構成は略同様であるため、以下では、左側の構成についてのみ図４を参照しつつ説明し、右側の構成については説明を省略する。
【００３３】
図４に示すように、縦枠１３には加熱発泡材７０（便宜上、縦枠発泡材７４と呼ぶ）が一箇所に取り付けられている。この縦枠発泡材７４は、縦枠１３のうちの縦框３６と左右方向において対向する対向面１３ａに取り付けられている（貼付されている）。なお、当該縦枠発泡材７４は、上下方向における上端部及び下端部に設けられている。
【００３４】
また、上下方向において、上端部の縦枠発泡材７４と下端部の縦枠発泡材７４の間（つまり、中央部）には、図４の断面においてＬ字状の補強材３０（便宜上、縦枠補強材６１と呼ぶ）が位置し、当該縦枠補強材６１は対向面１３ａに取り付けられている（ネジ止めされている）。
【００３５】
また、図４に示すように、縦框３６には加熱発泡材７０（便宜上、縦框発泡材７５と呼ぶ）が二箇所に取り付けられている。
【００３６】
縦框３６の外框部２３は、長手方向（上下方向）に貫通する中空空間を形成する縦框中空部３７と、当該縦框中空部３７の室外側の端から内側へ延出した内側延出部３８と、縦框中空部３７の室外側の端から外側へ延出した外側延出部３９と、を備えている。
【００３７】
また、縦框中空部３７は、室内側に位置し左右方向に沿った第一中空部３７ａ、室外側に位置し左右方向に沿った第二中空部３７ｂ、外側に位置し見込み方向に沿った第三中空部３７ｃ、内側に位置し見込み方向に沿った第四中空部３７ｄと、を有している。そして、第三中空部３７ｃには、図４の断面においてＬ字状の補強材３０（便宜上、縦框補強材６２と呼ぶ）が取り付けられており（ネジ止めされており）、第一中空部３７ａには後述する内框係合部４１と係合する外框係合部３７ｅが設けられている。
【００３８】
また、縦框３６の内框部２５は、外框係合部３７ｅと係合する内框係合部４１と、内框係合部４１の内側の端から内側へ延出した内框延出部４２と、を備えている。
【００３９】
そして、内側延出部３８、縦框中空部３７の第四中空部３７ｄ、内框係合部４１、内框延出部４２により、複層ガラス２１の端部（周縁部）が収容されるガラス収容溝（縦框ガラス収容溝２７と呼ぶ。縦框面材収容溝に相当）が形成されている。つまり、縦框ガラス収容溝２７は、図４の断面において、溝底部２７ａ、室外側溝側部２７ｂ、室内側溝側部２７ｃを有するコの字形状となっており、溝底部２７ａが、第四中空部３７ｄ及び内框係合部４１により、室外側溝側部２７ｂが内側延出部３８により、室内側溝側部２７ｃが内框延出部４２により、それぞれ形成されている。
【００４０】
また、当該縦框ガラス収容溝２７には、縦框ガラス収容溝２７のコの字形状に沿って、コの字形状の補強材３０（便宜上、縦框溝内補強材６３と呼ぶ）が上下方向において全長に亘って（縦框３６の上端部から下端部に亘って）収容されている。この縦框溝内補強材６３は、複層ガラス２１の左右方向における端よりも外側に位置し見込み方向（溝底部２７ａ）に沿う補強材底部６３ａ（第三補強材底部に相当）と、室外側溝側部２７ｂに沿い、かつ、複層ガラス２１よりも室外側に位置し補強材底部６３ａの見込み方向における端から内側へ延出する室外側補強材延出部６３ｂ（第三室外側延出部に相当）と、室内側溝側部２７ｃに沿い、かつ、複層ガラス２１よりも室内側に位置し補強材底部６３ａの見込み方向における端から内側へ延出する室内側補強材延出部６３ｃ（第三室内側延出部に相当）と、を有している。
【００４１】
そして、縦框発泡材７５は、外側延出部３９の室内側の面と、補強材底部６３ａの室外側の端部と、に取り付けられている（貼付されている）。なお、補強材底部６３ａに取り付けられている縦框発泡材７５は、上下方向において全長に亘って（縦框３６の上端部から下端部に亘って）設けられている。
【００４２】
また、補強材底部６３ａには、見込み方向において縦框発泡材７５と並ぶように（また、縦框発泡材７５よりも室内側に）、セッティングブロック（縦框セッティングブロック８４と呼ぶ）が取り付けられている。この縦框セッティングブロック８４は、図４の断面において矩形状の樹脂製部材であり、上下方向に沿って適当な間隔をあけて複数配置されている。
【００４３】
次に、上枠１１及び上框５１周辺の加熱発泡材７０について、図５を用いて説明する。図５は、図２の上枠１１及び上框５１周辺を拡大した拡大図である。
【００４４】
図５に示すように、上框５１には、加熱発泡材７０（便宜上、上框発泡材７６と呼ぶ）が二箇所に取り付けられている。なお、縦枠１３とは異なり、上枠１１には、加熱発泡材７０が設けられていない。
【００４５】
上框５１の外框部２３は、長手方向（左右方向）に貫通する中空空間を形成する上框中空部５２と、当該上框中空部５２の室外側の端から上側へ延出した上側延出部５３と、上框中空部５２の室外側の端から下側へ延出した下側延出部５４と、を備えている。
【００４６】
また、上框中空部５２は、下側に位置し見込み方向に沿った第一中空部５２ａ、上側に位置し見込み方向に沿った第二中空部５２ｂ、室外側に位置し上下方向に沿った第三中空部５２ｃ、室内側に位置し上下方向に沿った第四中空部５２ｄと、を有している。そして、第四中空部５２ｄには後述する内框係合部５５と係合する外框係合部５２ｅが設けられている。
【００４７】
また、上框５１の内框部２５は、外框係合部５２ｅと係合する内框係合部５５と、内框係合部５５から下側へ延出した内框延出部５６と、を備えている。
【００４８】
そして、下側延出部５４、上框中空部５２の第一中空部５２ａ、内框係合部５５、内框延出部５６により、複層ガラス２１の端部（周縁部）が収容されるガラス収容溝（上框ガラス収容溝２８と呼ぶ。上框面材収容溝に相当）が形成されている。つまり、上框ガラス収容溝２８は、図４の断面において、溝底部２８ａ、室外側溝側部２８ｂ、室内側溝側部２８ｃを有するコの字形状となっており、溝底部２８ａが、第一中空部５２ａ及び内框係合部５５により、室外側溝側部２８ｂが下側延出部５４により、室内側溝側部２８ｃが内框延出部５６により、それぞれ形成されている。
【００４９】
また、当該上框ガラス収容溝２８には、上框ガラス収容溝２８のコの字形状に沿って、コの字形状の補強材３０（便宜上、上框溝内補強材６４と呼ぶ）が左右方向において全長に亘って（上框５１の左端部から右端部に亘って）収容されている。この上框溝内補強材６４は、複層ガラス２１の上端よりも上方に位置し見込み方向（溝底部２８ａ）に沿う補強材底部６４ａ（第二補強材底部に相当）と、室外側溝側部２８ｂに沿い、かつ、複層ガラス２１よりも室外側に位置し補強材底部６４ａの見込み方向における端から下方向へ延出する室外側補強材延出部６４ｂ（第二室外側延出部に相当）と、室内側溝側部２８ｃに沿い、かつ、複層ガラス２１よりも室内側に位置し補強材底部６４ａの見込み方向における端から下方向へ延出する室内側補強材延出部６４ｃ（第二室内側延出部に相当）と、を有している。
【００５０】
そして、上框発泡材７６は、上側延出部５３の室内側の面と、補強材底部６４ａの室外側の端部と、に全長に亘って（上框５１の左端部から右端部に亘って）取り付けられている（貼付されている）。
【００５１】
また、補強材底部６４ａには、見込み方向において上框発泡材７６と並ぶように（また、上框発泡材７６よりも室内側に）、セッティングブロック（上框セッティングブロック８５と呼ぶ）が取り付けられている。この上框セッティングブロック８５は、図５の断面において矩形状の樹脂製部材であり、左右方向に沿って適当な間隔をあけて複数配置されている。
【００５２】
なお、すべり出し窓用ステー５０は、上枠１１と第二中空部５２ｂの間に位置し、上枠１１と第二中空部５２ｂにそれぞれ取り付けられている（ネジ止めされている）。
【００５３】
次に、下枠１２及び下框４４周辺の加熱発泡材７０について、図６を用いて説明する。図６は、図２の下枠１２及び下框４４周辺を拡大した拡大図である。
【００５４】
図６に示すように、下框４４には、加熱発泡材７０（便宜上、下框発泡材７３と呼ぶ）が二箇所に取り付けられている。なお、上枠１１と同様、下枠１２にも、加熱発泡材７０が設けられていない。
【００５５】
下框４４の外框部２３は、長手方向（左右方向）に貫通する中空空間を形成する下框中空部４５と、当該下框中空部４５の室外側の端から上側へ延出した上側延出部４６と、下框中空部４５の室外側の端から下側へ延出した下側延出部４７と、を備えている。
【００５６】
また、下框中空部４５は、下側に位置し見込み方向に沿った第一中空部４５ａ、上側に位置し見込み方向に沿った第二中空部４５ｂ、室外側に位置し上下方向に沿った第三中空部４５ｃ、室内側に位置し上下方向に沿った第四中空部４５ｄと、を有している。そして、下框中空部４５の中空空間には、コの字形状の補強材３０（便宜上、下框補強材６５と呼ぶ）が左右方向の左端部と右端部に収容され、第四中空部４５ｄには後述する内框係合部４８と係合する外框係合部４５ｅが設けられている。
【００５７】
また、下框４４の内框部２５は、外框係合部４５ｅと係合する内框係合部４８と、内框係合部４８から上側へ延出した内框延出部４９と、を備えている。
【００５８】
そして、上側延出部４６、下框中空部４５の第二中空部４５ｂ、内框係合部４８、内框延出部４９により、複層ガラス２１の端部（周縁部）が収容されるガラス収容溝（下框ガラス収容溝２９と呼ぶ。下框面材収容溝に対応）が形成されている。つまり、下框ガラス収容溝２９は、図４の断面において、溝底部２９ａ、室外側溝側部２９ｂ、室内側溝側部２９ｃを有するコの字形状となっており、溝底部２９ａが、第二中空部４５ｂ及び内框係合部４８により、室外側溝側部２９ｂが上側延出部４６により、室内側溝側部２９ｃが内框延出部４９により、それぞれ形成されている。
【００５９】
また、当該下框ガラス収容溝２９には、下框ガラス収容溝２９のコの字形状に沿って、コの字形状の補強材３０（便宜上、下框溝内補強材６６と呼ぶ）が左右方向において全長に亘って（下框４４の左端部（一端部に相当）から右端部（他端部に相当）に亘って）収容されている。この下框溝内補強材６６は、複層ガラス２１の下端よりも下方に位置し見込み方向（溝底部２９ａ）に沿う補強材底部６６ａと、室外側溝側部２９ｂに沿い、かつ、複層ガラス２１よりも室外側に位置し補強材底部６６ａの見込み方向における端から上方向へ延出する室外側補強材延出部６６ｂ（室外側延出部に相当）と、室内側溝側部２９ｃに沿い、かつ、複層ガラス２１よりも室内側に位置し補強材底部６６ａの見込み方向における端から上方向へ延出する室内側補強材延出部６６ｃ（室内側延出部に相当）と、を有している。なお、この下框溝内補強材６６は、下框補強材６５とネジで固定されている。
【００６０】
そして、下框発泡材７３は、下側延出部４７の室内側の面と、補強材底部６６ａの室外側の端部と、に全長に亘って（下框４４の左端部から右端部に亘って）取り付けられている（貼付されている）。
【００６１】
また、補強材底部６６ａには、見込み方向において下框発泡材７３と並ぶように（また、下框発泡材７３よりも室内側に）、セッティングブロック（下框セッティングブロック８６と呼ぶ）が取り付けられている。この下框セッティングブロック８６は、左右方向に沿って適当な間隔をあけて複数配置されている。
下框セッティングブロック８６は、幾つかの点で、縦框セッティングブロック８４及び上框セッティングブロック８５とは異なっている。先ず、下框セッティングブロック８６は、樹脂製ではなく金属製部材である。また、下框セッティングブロック８６は、図６の断面において矩形状の部分（便宜上、本体部８６ａと呼ぶ）から、見込み方向室内側へ延出した延出部８６ｂを有している。この延出部８６ｂは、下框発泡材７３の上方に位置した状態で、複層ガラス２１の見込み方向における室外側の端を越える位置まで延出している。
また、本体部８６ａと延出部８６ｂの上端の位置は一致しており、この位置（つまり、下框セッティングブロック８６の上端８６ｃの上下方向における位置）は、後述する室外側補強材延出部６６ｂの延出先端Ｐ１の上下方向における位置と一致するか、当該位置よりも上方に位置している（本実施の形態は、後者）。
【００６２】
なお、すべり出し窓用ステー５０は、下枠１２と第一中空部４５ａの間に位置し、下枠１２と第一中空部４５ａにそれぞれ取り付けられている（ネジ止めされている）。
【００６３】
前述したとおり、縦框溝内補強材６３、上框溝内補強材６４、及び、下框溝内補強材６６は、コの字形状を有しているが、縦框溝内補強材６３及び上框溝内補強材６４が対称的なコの字形状を有しているのに対し、下框溝内補強材６６は非対称的なコの字形状を有している。
【００６４】
すなわち、図４及び図５に示すように、縦框溝内補強材６３（上框溝内補強材６４）においては、室外側補強材延出部６３ｂ（室外側補強材延出部６４ｂ）の延出先端Ｐ１と室内側補強材延出部６３ｃ（室内側補強材延出部６４ｃ）の延出先端Ｐ２の左右方向（上下方向）における位置は一致している。換言すれば、室外側補強材延出部６３ｂ（室外側補強材延出部６４ｂ）の左右方向（上下方向）の長さは、室内側補強材延出部６３ｃ（室内側補強材延出部６４ｃ）の左右方向（上下方向）の長さと同じとなっている。
【００６５】
これに対し、図６に示すように、下框溝内補強材６６においては、室外側補強材延出部６６ｂの延出先端Ｐ１は、室内側補強材延出部６６ｃの延出先端Ｐ２よりも下方に位置している。換言すれば、室外側補強材延出部６６ｂの上下方向の長さは、室内側補強材延出部６６ｃの上下方向の長さよりも短くなっている。
【００６６】
このようにした理由は、以下の通りである。従来例に係る縦すべり出し窓１においては、下框溝内補強材６６も、縦框溝内補強材６３及び上框溝内補強材６４と同様、対称的なコの字形状を有していた。
【００６７】
このような縦すべり出し窓１において、室外側で火災が発生した場合には、複層ガラス２１（特に、外側ガラス２１ａ）が軟化して室外側へ倒れるように（図６に、倒れる方向を白矢印で示す）落下する場合がある。そして、下框溝内補強材６６が対称的なコの字形状を有しているため、外側ガラス２１ａが下框溝内補強材６６の室外側補強材延出部６６ｂに引っ掛かり、外側ガラス２１ａの落下に伴って下框４４が傾く（転ぶ）可能性があった（図７に、下框４４が傾いた様子（イメージ）を示す）。
【００６８】
そして、下框４４が傾く（転ぶ）と、下枠１２との間に隙間が生じ、当該隙間が火炎や加熱空気の通り道（図７の太字矢印参照）となる場合があった。
【００６９】
これに対し、本実施の形態においては、室外側補強材延出部６６ｂの延出先端Ｐ１を、室内側補強材延出部６６ｃの延出先端Ｐ２よりも下方に位置させたため、外側ガラス２１ａが軟化して室外側へ倒れるように（図６に、倒れる方向を白矢印で示す）落下したとしても、外側ガラス２１ａが下框溝内補強材６６の室外側補強材延出部６６ｂに引っ掛かりにくくなり、外側ガラス２１ａの落下に伴って下框４４が傾く（転ぶ）可能性が低くなる。したがって、火災や加熱空気の通り道となる隙間が出来にくくなり、縦すべり出し窓１の防火性能を向上させることができる。
【００７０】
また、本実施の形態においては、室内側補強材延出部６６ｃの延出先端Ｐ２が、複層ガラス２１の下端よりも上方に位置する一方で、室外側補強材延出部６６ｂの延出先端Ｐ１は、複層ガラス２１の下端よりも下方に位置することとした。
【００７１】
そのため、外側ガラス２１ａが軟化して室外側へ倒れるように落下したとしても、外側ガラス２１ａが下框溝内補強材６６の室外側補強材延出部６６ｂにより一層引っ掛かりにくくなり、外側ガラス２１ａの落下に伴って下框４４が傾く（転ぶ）可能性がより一層低くなる。したがって、火災や加熱空気の通り道となる隙間がより一層出来にくくなり、縦すべり出し窓１の防火性能をより適切に向上させることができる。
【００７２】
また、本実施の形態においては、下框セッティングブロック８６の上端８６ｃの上下方向における位置が、室外側補強材延出部６６ｂの延出先端Ｐ１の上下方向における位置と一致するか、当該位置よりも上方に位置している。そのため、外側ガラス２１ａが軟化して室外側へ倒れるように落下する際に、下框セッティングブロック８６が、外側ガラス２１ａを室外側補強材延出部６６ｂに向かわせないようにする機能を発揮する。したがって、外側ガラス２１ａが下框溝内補強材６６の室外側補強材延出部６６ｂにより一層引っ掛かりにくくなり、外側ガラス２１ａの落下に伴って下框４４が傾く（転ぶ）可能性がより一層低くなる。したがって、火災や加熱空気の通り道となる隙間がより一層出来にくくなり、縦すべり出し窓１の防火性能をより適切に向上させることができる。
【００７３】
なお、室外側ではなく室内側で火災が発生した場合には、複層ガラス２１（特に、内側ガラス２１ｂ）が軟化して室内側へ倒れ（図６に、倒れる方向を黒矢印で示す）、内側ガラス２１ｂが下框溝内補強材６６の室内側補強材延出部６６ｃに引っ掛かることとなる。しかしながら、図６から明らかなように、内側ガラス２１ｂが室内側補強材延出部６６ｃに引っ掛かったとしても、下框４４が傾く方向には、下框４４が傾こうとする動作を物理的にブロックする部材（下枠１２等）が存在するため、隙間が生ずる問題は生じ得ない。したがって、室内側で火災が発生する場合を考慮して、室内側補強材延出部６６ｃの延出先端Ｐ２を複層ガラス２１の下端よりも下方に位置させる必要はない。
【００７４】
また、本実施の形態に係る縦すべり出し窓１においては、下框ガラス収容溝２９の室外側溝側部２９ｂが金属製である一方で、室内側溝側部２９ｃが金属よりも消失し易い樹脂製となっている。そのため、室内側補強材延出部６６ｃの延出先端Ｐ２を複層ガラス２１の下端よりも上方に位置させることにより、火災時に室内側溝側部２９ｃが消失したとしても下框溝内補強材６６（室内側補強材延出部６６ｃ）に複層ガラス２１を適切に支持させることが可能となる。
【００７５】
ところで、外側ガラス２１ａの落下の際に、外側ガラス２１ａが下框溝内補強材６６の室外側補強材延出部６６ｂに引っ掛からないようにするためには、下框溝内補強材６６をＬ字形状にして室外側補強材延出部６６ｂを取り去ってしまう方策も考えられるが、本実施の形態においては、このような形態を採っていない。このようにした理由は、以下の通りである。
【００７６】
すなわち、本実施の形態に係る下框溝内補強材６６には、図８及び図９に示すように、下框溝内補強材６６の左右方向における所定位置（本実施の形態においては、左端部）において、室内側補強材延出部６６ｃ（の全部）と補強材底部６６ａの一部とに亘って切り欠かれた切り欠き部６６ｄが形成されている。
【００７７】
この切り欠き部６６ｄは、前述したオペレーターハンドル３を操作して可動障子２０を移動（回動）させるための部品の一部（便宜上、ハンドル関連部品８０と呼ぶ）を下框ガラス収容溝２９の室内側溝側部２９ｃに取り付ける際に必要なＬ字状の部品取り付け用裏板８２を下框ガラス収容溝２９内に設置するために、形成されている。つまり、切り欠き部６６ｄが存在しないと、当該部品取り付け用裏板８２が下框溝内補強材６６と物理的に干渉して部品取り付け用裏板８２の設置ができないため、切り欠き部６６ｄを設けている。したがって、室内側補強材延出部６６ｃの全部と補強材底部６６ａの一部に亘って切り欠かれた切り欠き部６６ｄに、Ｌ字状の部品取り付け用裏板８２が収まるように、当該部品取り付け用裏板８２が設置されている。
【００７８】
仮に下框溝内補強材６６がＬ字形状である（室外側補強材延出部６６ｂがない）場合には、切り欠き部６６ｄが存在することにより、前記所定位置（左端部）において、下框溝内補強材６６の強度が弱くなってしまう（強度が弱くなる部分を、図８において記号Ｗで示す）。そして、かかる場合には、縦すべり出し窓１の組み立て等のために下框溝内補強材６６を作業者が取り扱うときに、ハンドリング性が悪くなる（例えば、強度が弱くなる部分Ｗにおいて、下框溝内補強材６６些細なことで曲がってしまう）。
【００７９】
そこで、本実施の形態においては、室外側補強材延出部６６ｂを設けて、下框溝内補強材６６の強度を強くしている。つまり、切り欠き部６６ｄが下框溝内補強材６６に設けられている本実施の形態に係る状況においては、室外側補強材延出部６６ｂの延出先端Ｐ１が室内側補強材延出部６６ｃの延出先端Ｐ２よりも下方に位置する構成を採ることにより、縦すべり出し窓１の防火性能を向上させる効果だけでなく、下框溝内補強材６６の強度を向上させる効果も生ずることとなる。
【００８０】
上記実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００８１】
上記実施の形態においては、建具として縦すべり出し窓１を例に挙げたが、これに限定されるものではなく、横すべり出し窓であってもよい。また、建具はすべり出し窓に限定されるものではなく、例えば、引き違い窓、開き窓、ＦＩＸ窓等であってもよい。
【００８２】
また、上記実施の形態に係る縦框溝内補強材６３（上框溝内補強材６４）においては、室外側補強材延出部６３ｂ（室外側補強材延出部６４ｂ）の延出先端Ｐ１と室内側補強材延出部６３ｃ（室内側補強材延出部６４ｃ）の延出先端Ｐ２の左右方向（上下方向）における位置が一致していることとしたが、これに限定されるものではない。
【００８３】
例えば、下框溝内補強材６６と同様、延出先端Ｐ１と延出先端Ｐ２の位置を異ならせてもよい。ただし、縦框溝内補強材６３（上框溝内補強材６４）に関しては、重力の関係上、複層ガラス２１が室外側補強材延出部に引っ掛かる前述した問題は生じ得ないため、火災時に縦框溝内補強材６３（上框溝内補強材６４）に複層ガラス２１を適切に支持させることを重視して、延出先端Ｐ１と延出先端Ｐ２の位置を一致させる方が望ましい。
【符号の説明】
【００８４】
１  縦すべり出し窓、３  オペレーターハンドル
１０  窓枠、１１  上枠、１２  下枠、１３  縦枠、１３ａ  対向面
１５  カバー材、２０  可動障子、２１  複層ガラス
２１ａ  外側ガラス、２１ｂ  内側ガラス、２１ｃ  スペーサー
２２  框体、２３  外框部、２５  内框部
２７  縦框ガラス収容溝
２７ａ  溝底部、２７ｂ  室外側溝側部、２７ｃ  室内側溝側部
２８  上框ガラス収容溝
２８ａ  溝底部、２８ｂ  室外側溝側部、２８ｃ  室内側溝側部
２９  下框ガラス収容溝
２９ａ  溝底部、２９ｂ  室外側溝側部、２９ｃ  室内側溝側部
３０  補強材
３６  縦框、３７  縦框中空部
３７ａ  第一中空部、３７ｂ  第二中空部、３７ｃ  第三中空部
３７ｄ  第四中空部、３７ｅ  外框係合部
３８  内側延出部、３９  外側延出部
４１  内框係合部、４２  内框延出部
４４  下框、４５  下框中空部
４５ａ  第一中空部、４５ｂ  第二中空部、４５ｃ  第三中空部
４５ｄ  第四中空部、４５ｅ  外框係合部
４６  上側延出部、４７  下側延出部
４８  内框係合部、４９  内框延出部
５０  すべり出し窓用ステー
５１  上框、５２  上框中空部
５２ａ  第一中空部、５２ｂ  第二中空部、５２ｃ  第三中空部
５２ｄ  第四中空部、５２ｅ  外框係合部
５３  上側延出部、５４  下側延出部
５５  内框係合部、５６  内框延出部
６１  縦枠補強材、６２  縦框補強材、６３  縦框溝内補強材
６３ａ  補強材底部、６３ｂ  室外側補強材延出部、６３ｃ  室内側補強材延出部
６４  上框溝内補強材
６４ａ  補強材底部、６４ｂ  室外側補強材延出部、６４ｃ  室内側補強材延出部
６５  下框補強材、６６  下框溝内補強材
６６ａ  補強材底部、６６ｂ  室外側補強材延出部
６６ｃ  室内側補強材延出部、６６ｄ  切り欠き部
７０  加熱発泡材、７３  下框発泡材、７４  縦枠発泡材
７５  縦框発泡材、７６  上框発泡材
８０  ハンドル関連部品、８２  部品取り付け用裏板
８４  縦框セッティングブロック、８５  上框セッティングブロック
８６  下框セッティングブロック
【図１】
2018199919.tif 000003
【図２】
2018199919.tif 000004
【図３】
2018199919.tif 000005
【図４】
2018199919.tif 000006
【図５】
2018199919.tif 000007
【図６】
2018199919.tif 000008
【図７】
2018199919.tif 000009
【図８】
2018199919.tif 000010
【図９】
2018199919.tif 000011